(57)【要約】【課題】通信端末間のデータファイル転送を効率的に行うこと。【解決手段】第１の通信端末１は、相手側の通信端末に接続するためのアドレス情報と共に、相手側の情報が記されたアドレス帳を記憶する第１の記憶部１６ａと、第１のデータファイルが記憶された第２の記憶部１６ｂを備える。また、アドレス帳に基づいて選択された相手側の通信端末に紐付けられる相手側の情報に合わせて、第１のデータファイルを第２の記憶部から検索する検索部１７と、検索された第１のデータファイルを、所定の単位にまとめた第包括ファイルを生成する包括部１８を備える。また、自端末と相手側の第２の通信端末とで通信を行い、包括ファイルを相手側の通信端末に伝送する近距離通信部２３を備え、包括ファイルを第２の通信端末に伝送する。【選択図】図２
2010212810.tif 000002
【特許請求の範囲】
【請求項１】
相手側の通信端末に接続するためのアドレス情報と共に、前記相手側の情報が記されたアドレス帳を記憶する第１の記憶部と、
第１のデータファイルが記憶された第２の記憶部と、
前記アドレス帳に基づいて選択された前記相手側の通信端末に紐付けられる前記相手側の情報に合わせて、前記第１のデータファイルを前記第２の記憶部から検索する検索部と、
検索された前記第１のデータファイルを、所定の単位にまとめた第２のデータファイルを生成する包括部と、
自端末と相手側の通信端末とで通信を行い、前記第２のデータファイルを前記相手側の通信端末に伝送する通信部と、を備える
通信端末。
【請求項２】
前記通信部は、前記相手側の通信端末に近接したことを認識して通信路を確立し、前記第２のデータファイルを前記相手側の通信端末に伝送する
請求項１記載の通信端末。
【請求項３】
前記アドレス帳に記憶される前記相手側の情報は、前記相手側の通信端末を利用する前記相手側の嗜好情報であり、
前記第１のデータファイルには、音質解析された楽曲ファイルが含まれ、
前記検索部は、前記相手側の嗜好情報に合わせて前記第２の記憶部から検索する
請求項２記載の通信端末。
【請求項４】
前記アドレス帳に記憶される前記相手側の情報は、前記相手側の通信端末を利用する前記相手側の顔情報であり、
前記第１のデータファイルには、画像解析された画像ファイルが含まれ、
前記検索部は、前記相手側の顔情報に合わせて前記第２の記憶部から前記画像ファイルを検索する
請求項２記載の通信端末。
【請求項５】
相手側の通信端末に接続するためのアドレス情報と共に、前記相手側の情報が記されたアドレス帳が記憶された第１の記憶部から読み出す前記アドレス帳に基づいて、第１のデータファイルが記憶された第２の記憶部から、前記アドレス帳より選択された前記相手側の通信端末に紐付けられる前記相手側の情報に合わせて、前記第１のデータファイルを検索するステップと、
検索された前記第１のデータファイルを、所定の単位にまとめた第２のデータファイルを生成するステップと、
自端末と相手側の通信端末とで通信を行い、前記第２のデータファイルを前記相手側の通信端末に伝送するステップと、を備える
伝送方法。
【請求項６】
相手側の通信端末に接続するためのアドレス情報と共に、前記相手側の情報が記されたアドレス帳を記憶する第１の記憶部と、
第１のデータファイルが記憶された第２の記憶部と、
前記アドレス帳に基づいて選択された前記相手側の通信端末に紐付けられる前記相手側の情報に合わせて、前記第１のデータファイルを前記第２の記憶部から検索する検索部と、
検索された前記第１のデータファイルを、所定の単位にまとめた第２のデータファイルを生成する包括部と、
自端末と相手側の通信端末とで通信を行い、前記第２のデータファイルを前記相手側の通信端末に伝送する第１の通信部と、を備える第１の通信端末と、
前記第１の通信端末と自端末とで通信を行うことにより、前記第１の通信端末から前記第２のデータファイルを受信する第２の通信部と、
前記第２のデータファイルから前記第１のデータファイルを復元する復元部と、を備える第２の通信端末と、を備えた
伝送システム。
【発明の詳細な説明】
【技術分野】
【０００１】
本発明は、例えば、多数のデータファイルを端末間で伝送する場合に適用して好適な通信端末、伝送方法及び伝送システムに関する。
【背景技術】
【０００２】
近年、携帯電話機等の通信端末を用いて音楽を楽しむ為に、大量の楽曲ファイルを購入して通信端末に保有するユーザが益々増加してきている。また、様々な近距離機器間通信（赤外線，ＢＬＵＥＴＯＯＴＨ（登録商標）等）を介してデータファイル（楽曲ファイル、画像ファイル等）を他のユーザと送受信する機会も増加してきている。
【０００３】
特許文献１には、ユーザからの楽曲リクエスト情報にマッチした楽曲の情報を、当該ユーザに提供する技術が開示されている。
【先行技術文献】
【特許文献】
【０００４】
【特許文献１】特開２００８−５２７３７号公報
【発明の概要】
【発明が解決しようとする課題】
【０００５】
ところで、従来の通信端末が用いる近距離機器間通信は低速であったため、データファイル毎に送受信するアプリケーションが用いられていた。しかし、このアプリケーションを使用して、大量のデータファイルを送受信すると、データファイルの増加に伴って送受信に必要なオーバーヘッドが増加するため、送受信の効率が悪化していた。また、ユーザが通信端末に記憶されたデータファイルを検索する際は、個々のデータファイルを手動で選択する必要があった。このため、データファイルを選択する手間がかかると共に、相手先の通信端末に目的とするデータファイル全てを送信完了するまでに要する時間が増えていた。
【０００６】
本発明はこのような状況に鑑みて成されたものであり、通信端末間のデータファイル転送を効率的に行うことを目的とする。
【課題を解決するための手段】
【０００７】
本発明は、相手側の通信端末に接続するためのアドレス情報と共に、相手側の情報が記されたアドレス帳が記憶された第１の記憶部、及び第１のデータファイルが記憶された第２の記憶部から読み出すアドレス帳に基づいて所定の処理を行う。
この処理は、選択された相手側の通信端末に紐付けられる相手側の情報に合わせて、第１のデータファイルを第２の記憶部から検索する。
そして、検索された第１のデータファイルを、所定の単位にまとめた第２のデータファイルを生成し、自端末と相手側の通信端末とで通信を行い、第２のデータファイルを相手側の通信端末に伝送するものである。
【０００８】
このようにしたことで、通信相手の情報に合わせて検索した第１のデータファイルを第２のデータファイルにまとめて、相手側の通信端末に伝送することが可能となった。
【発明の効果】
【０００９】
本発明によれば、相手側の情報に合わせて抽出した第１のデータファイルを一つにまとめた第２のデータファイルを、近距離無線通信を用いて相手側の通信端末に送信することが可能となる。このため、ユーザは、自機に記憶された第１のデータファイルを個別に選択する手間を省くことができ、通信端末間のデータファイル伝送を効率的に行うことができるという効果がある。
【図面の簡単な説明】
【００１０】
【図１】本発明の一実施の形態における伝送システムの構成例を示す説明図である。
【図２】本発明の一実施の形態における第１の通信端末の内部構成例を示すブロック図である。
【図３】本発明の一実施の形態における第２の通信端末の内部構成例を示すブロック図である。
【図４】本発明の一実施の形態における第１の通信端末の画面遷移の例を示す説明図である。
【図５】本発明の一実施の形態における楽曲ファイルの送信処理の例を示すフローチャートである。
【図６】本発明の一実施の形態における楽曲ファイルの受信処理の例を示すフローチャートである。
【図７】本発明の一実施の形態における画像ファイルの送信処理の例を示すフローチャートである。
【発明を実施するための形態】
【００１１】
以下、発明を実施するための最良の形態（以下実施の形態とする。）について説明する。なお、説明は以下の順序で行う。
１．一実施の形態（データファイルの転送制御：楽曲ファイルを転送する例）
２．変形例
【００１２】
＜１．一実施の形態＞
［伝送システムの例］
【００１３】
以下、本発明の一実施の形態について、図１〜図６を参照して説明する。本実施の形態では、複数の通信端末間の無線通信によって大容量のデータファイルを送受信する伝送システム１０に適用した例について説明する。
【００１４】
図１は、伝送システム１０の構成例を示す。
本実施の形態の例（以下本例と称する）において、伝送システム１０は、基地局との間で、各種無線通信方式を用いて無線電話回線を設定し、無線通信を行う第１の通信端末１を備える。また、伝送システム１０は、第１の通信端末１から所定の通信方式に則って確立される無線通信路３を介してデータファイルを受信する第２の通信端末２を備える。第１の通信端末１と第２の通信端末２は、小型の筐体に内蔵させて構成してあるため、ユーザが常時所持できる。また、第１の通信端末１と第２の通信端末２は、筐体に内蔵された不図示のバッテリを電源とする。
【００１５】
第１の通信端末１が基地局との間で用いる無線通信方式には、例えば、ＣＤＭＡ方式（Code Division Multiple Access：符号分割多重接続）がある。また、第１の通信端末１が第２の通信端末２に伝送するデータファイルには、例えば、ＭＰ３（MPEG Audio Layer-3）等のフォーマットで圧縮され、音質解析された楽曲ファイル（第１のデータファイル）が含まれる。また、無線通信路３は、近距離で無線通信が可能な技術、例えば、ＢＬＵＥＴＯＯＴＨ（登録商標）やＴｒａｎｓｆｅｒＪｅｔ（登録商標）によって確立される。
【００１６】
［第１の通信端末の内部構成例］
図２は、第１の通信端末１の内部構成例を示す。
第１の通信端末１は、アンテナ１１と、無線電話用の基地局と無線通信を行うための無線通信部である、無線電話用通信回路１２と、各部を制御する制御部１３を備える。無線電話用通信回路１２には、アンテナ１１が接続してある。無線電話用通信回路１２が行う無線通信は、第１の通信端末１の制御部１３の制御で実行され、制御部１３が通信制御部として機能する。基地局との無線接続などの処理も、制御部１３が制御する。また、制御部１３は、制御ライン２６を介して第１の通信端末１内の各部と制御データのやりとりを行い、無線通信以外の端末内の各機能の制御を行う。
【００１７】
制御部１３は、無線電話用通信回路１２で受信したパケット内に、音声データが含まれる場合には、その音声データを取出し、データライン２７を介して音声処理部１９に供給する。音声処理部１９は、音声データをアナログ音声信号に復調する処理を行い、復調されたアナログ音声信号をスピーカ２０に供給して、音声を出力させる。
【００１８】
また、第１の通信端末１は、音声が入力されるマイクロフォン２１を備える。音声処理部１９は、マイクロフォン２１が収音して生成するアナログ音声信号を、送信用の音声データに変調し、変調された音声データを無線電話用通信回路１２に供給する。無線電話用通信回路１２は、供給される音声データを、基地局に送信するパケット内に配置して、無線送信する。
【００１９】
また、第１の通信端末１は、光学系、撮像素子等を備えた撮像部２２を備える。撮像部２２によって撮像された画像は、データライン２７を介して後述する第２の記憶部１６ｂに記憶される。
また、第１の通信端末１は、液晶表示パネルなどで構成される表示部１４を備え、制御部１３の制御で、各種情報の表示を行う。ここでの表示としては、電話の発信や着信に関する表示、電話帳やメールアドレス帳などの登録された情報の表示、受信メールや送信メールの表示、インターネットに接続してダウンロードした画像の表示、アドレス帳の内容の表示、楽曲ファイルの名称の表示、撮像部２２によって撮像した画像の表示などがある。
【００２０】
また、第１の通信端末１は、ユーザが操作する操作部１５を備え、操作部１５での操作に基づいて、制御部１３が各種処理を行う。例えば、無線電話通信による発信や、メールの送受信、インターネットへのアクセスなどのデータ通信の開始や終了などが、操作部１５として用意されたキーなどが操作されることで実行される。
【００２１】
また、第１の通信端末１は、フラッシュメモリ等によって構成される記憶部１６を備える。記憶部１６は、制御ライン２６及びデータライン２７に接続してあり、例えば外部から受信したデータが記憶部１６に記憶される。また、制御部１３の制御処理に必要なプログラムや、自機を操作するユーザの情報としての属性情報についても、記憶部１６に記憶される。
【００２２】
本例の記憶部１６は、複数の記憶部に分けられる。記憶部１６は、相手側の通信端末（第２の通信端末２）に接続するためのアドレス情報と共に、相手側の情報が記されたアドレス帳を記憶する第１の記憶部１６ａと、楽曲ファイルが記憶された第２の記憶部１６ｂを備える。第１の記憶部１６ａのアドレス帳に記憶される相手側の情報には、第２の通信端末２を利用する相手側の嗜好情報が含まれる。第２の記憶部１６ｂには、楽曲ファイル、画像ファイル等が記憶される。
【００２３】
また、第１の通信端末１は、アドレス帳に基づいて選択された相手側の通信端末に紐付けられる楽曲嗜好情報に合わせて、第２の記憶部１６ｂから予め音質解析された楽曲ファイルを検索する検索部１７を備える。楽曲嗜好情報には、相手が好む楽曲の情報（例えば、レゲエ、ロック）が入力されている。
【００２４】
また、第１の通信端末１は、検索された楽曲ファイルを、アプリケーション層で所定の単位にまとめた包括ファイル（第２のデータファイル）を生成し、圧縮する包括部１８を備える。包括ファイルは、検索された楽曲ファイルの数等を管理するインデックスファイルと、楽曲ファイル自体が変換された実体ファイルによって構成される。
【００２５】
また、第１の通信端末１は、第２の通信端末２との間で無線通信路３を確立して近距離無線通信を行う近距離通信部２３を備える。近距離通信部２３は、包括ファイルを第２の通信端末２に無線伝送する近距離通信アンテナ２４と、近距離通信アンテナ２４の出力、動作を制御する近距離通信制御部２５を備える。
そして、近距離通信部２３は、第１の通信端末１が第２の通信端末２に近接したことを認識して無線通信路３を確立し、包括ファイルを第２の通信端末２に伝送する。
【００２６】
［第２の通信端末の内部構成例］
図３は、第２の通信端末２の内部構成例を示す。
第２の通信端末２は、各部の処理を制御する制御部３１と、液晶表示パネルなどで構成される表示部３２を備える。表示部３２は、制御部３１の制御で、各種情報の表示を行う。また、第２の通信端末２は、操作部３３を備え、操作部３３での操作に基づいて、制御部３１が各種の処理を行う。
【００２７】
また、第２の通信端末２は、フラッシュメモリ等で構成される記憶部３４を備える。記憶部３４は、制御ライン４１及びデータライン４２に接続してあり、例えば外部から受信したデータが記憶部３４に記憶される。また、制御部３１の制御処理に必要なプログラム等も記憶部３４に記憶される。
【００２８】
また、第２の通信端末２は、第１の通信端末１から受信した包括ファイルを解凍し、楽曲ファイルに復元する復元部３５を備える。復元部３５によって復元された楽曲ファイルは、記憶部３４に記憶される。また、第２の通信端末２は、記憶部３４からデータライン４２を介して楽曲ファイルを読み出し、アナログ音声信号への復調処理を行う音声処理部３６と、復調されたアナログ音声信号から音声を出力するスピーカ３７を備える。
【００２９】
また、第２の通信端末２は、第１の通信端末１との間で無線通信路３を確立して近距離無線通信を行う近距離通信部３８を備える。近距離通信部３８は、包括ファイルを第１の通信端末１から無線受信する近距離通信アンテナ３９と、受信した包括ファイルを楽曲ファイルに変換する近距離通信制御部４０を備える。
そして、近距離通信部３８は、第１の通信端末１が第２の通信端末２に近接したことを認識して無線通信路３を確立し、第１の通信端末１から包括ファイルを受け取る。
【００３０】
図４は、第１の通信端末１が楽曲ファイルを送信する際、表示部１４に表示されるユーザ・インタフェース画面の例を示す。
【００３１】
第１の通信端末１は、機器間での楽曲ファイルを送受信するためのアプリケーションを用いる。このアプリケーションは、以下の検索及び送受信の機能を有する。
・検索機能：第１の通信端末１が保有する電話／アドレス帳に属性情報を持たせ、この情報を基に楽曲ファイルの検索を行う機能である。
・送受信機能：高速化した近距離機器間の通信方式（例えば、ＴｒａｎｓｆｅｒＪｅｔ（登録商標）の場合、最大５６０Ｍｂｐｓで転送可能である。）を採用し、楽曲ファイルをその通信方式に適した形に変換して送受信を行う機能である。
【００３２】
ユーザが第１の通信端末１を操作して、不図示のファイル送信メニューを選択すると、送信先の相手を選択するための送信相手選択画面４５が表示部１４に表示される。送信相手選択画面４５は、電話／アドレス帳に紐付いて表示される画面であり、本例では、「Ａさん」を指定して楽曲ファイルを送信する場合を想定する。
【００３３】
次に、第１の通信端末１は、第１の記憶部１６ａから「Ａさん」が好みである楽曲ファイルを検索することによって、検索結果を検索結果表示画面４６が表示部１４に一覧表示される。この検索は、電話／アドレス帳に予め登録されている「Ａさん」の楽曲嗜好情報に基づいて自動的に行われる。そして、「Ａさん」が使用する第２の通信端末２に対して、楽曲ファイルの送信が完了すると、楽曲ファイルの送信完了を知らせるメッセージ４７が表示部１４に表示される。これにより、ユーザは、楽曲ファイルの送信が完了したことを知ることができる。
【００３４】
図５は、第１の通信端末１が第２の通信端末２に楽曲ファイルを送信する処理の例を示す。
ここで、第１の通信端末１が楽曲ファイルを取り込んだときに、制御部１３が予め楽曲ファイルの音質解析をしておく。
【００３５】
音質解析は、楽曲ファイル毎にジャンル、テンポ等を識別する処理であり、第２の記憶部１６ｂに楽曲ファイルを記憶する際、制御部１３が行う。
楽曲ファイルには、楽曲のテンポの速さを表す数値、その楽曲の雰囲気の明るさを表す数値、その楽曲のにぎやかさを表す数値、その楽曲が生演奏であるか否かを表す情報、その楽曲が登場した年代を表す数値、およびその楽曲のジャンルを表す情報等が含まれるメタデータが付されている。
【００３６】
そして、検索部１７は、検索の対象となる楽曲の特徴量およびその組み合わせで表現される検索条件を示す検索式を用いて、相手の楽曲嗜好情報に合わせた楽曲ファイルを検索できる。検索式は、数値で表されるメタデータによって表される特徴量空間において、その種類とその値の範囲を選択することで楽曲を検索する場合、メタデータの種類と、それぞれのメタデータの種類の値の範囲とを示す。検索式は、所定の楽曲を検索のキーとして、検索のキーとなる楽曲に付加されているメタデータと類似したメタデータが付加されている楽曲を検索する場合、検索のキーとなるキー楽曲のメタデータと類似度の閾値とを示す。
【００３７】
ここで、キー楽曲のメタデータと、検索の対象となる他の全ての楽曲のメタデータとの類似度は、それぞれのメタデータの間の距離を、ベクトル空間上の２点間の距離で表現するユークリッド距離、キー楽曲の複数のメタデータの分散を考慮した距離を表すマハラノビス距離、又は確率分布同士の距離で表現するKullback-Leibler Divergence(KL距離)などの距離関数によって求めた結果から算出される。すなわち、それぞれのメタデータの間の距離が小さいほど、楽曲のメタデータ同士の類似度は高くなる。
【００３８】
＜電話／アドレス帳の属性情報に楽曲嗜好情報を登録＞
第１の通信端末１を操作するユーザは、第１の記憶部１６ａに記憶される電話／アドレス帳に、電話／アドレス帳の属性情報の一つとして、検索に必要な楽曲嗜好情報を予め登録しておく。
【００３９】
＜送信相手の選択〜楽曲ファイルの検索＞
ユーザは、表示部１４に表示された送信相手選択画面４５を見ながら、第１の通信端末１の電話／アドレス帳から送信相手を選択する（ステップＳ１）。検索部１７は、予め登録された相手側の楽曲嗜好情報に該当する、音質解析された楽曲ファイルを第２の記憶部１６ｂから検索する（ステップＳ２）。
【００４０】
次に、検索部１７は、該当する楽曲ファイルの有無を判断する（ステップＳ３）。楽曲ファイルが無い場合、処理を終了する。一方、楽曲ファイルがある場合、包括部１８は、検索された楽曲ファイルを圧縮して一つのファイルにまとめ、包括ファイルを作成する（ステップＳ４）。
【００４１】
＜楽曲ファイルの送信＞
次に、ユーザは、第１の通信端末１を第２の通信端末２にかざす（ステップＳ５）。このとき、近距離通信部２３は、第２の通信端末２との間で無線通信路３を確立できるか否か判断する（ステップＳ６）。近距離通信部２３は、無線通信路３を確立できなければ送信処理を終了する。
【００４２】
一方、近距離通信部２３は、無線通信路３を確立すると、包括ファイルを、機器間通信を用いて送信する（ステップＳ７）。近距離通信部２３が包括ファイルを送信完了後、送信が完了した事を示すメッセージを表示部１４に表示する。
【００４３】
＜楽曲ファイルの受信＞
図６は、第２の通信端末２が楽曲ファイルを受信する処理の例を示す。
始めに、第２の通信端末２は、楽曲ファイルを受信するための待ち受け処理を開始する（ステップＳ１１）。次に、近距離通信部３８は、無線通信路３が確立されると、第１の通信端末１から包括ファイルを受信する（ステップＳ１２）。
【００４４】
そして、復元部３５は、圧縮された包括ファイルを解凍するソフトウェアを用いて受信した包括ファイルを解凍し、包括ファイルを楽曲ファイルに復元した後、記憶部３４に復元した楽曲ファイルを保存する（ステップＳ１３）。その後、第２の通信端末２は、受信処理を終了する。
【００４５】
以上説明した本実施の形態に係る第１の通信端末１を用いるユーザは、第１の通信端末１の電話／アドレス帳から楽曲ファイルの送信相手の選択を行う。この選択をトリガーとして、検索部１７は、送信相手の楽曲嗜好情報に合う音質解析された楽曲ファイルを検索し、包括部１８が包括ファイルを作成後、近距離通信部２３が第２の通信端末２に包括ファイルを伝送する。このため、ユーザは、第２の通信端末２を使用する送信相手に合わせて、自機の楽曲ファイルを個別に検索する必要が無くなるという効果がある。また、相手の楽曲嗜好情報に合わせて楽曲ファイルの検索を自動的に行えるため、楽曲ファイルを伝送する作業が容易かつ素早くなるという効果がある。また、近距離通信部２３を用いることにより、データファイルの伝送が容易になるという効果がある。
【００４６】
＜２．変形例＞
なお、上述した一実施の形態に係る伝送システム１０では、包括ファイルを送受信するために、近距離通信部２３による近距離無線通信を用いたが、有線ケーブル（例えば、ＵＳＢケーブル等）によって通信してもよい。また、伝送システム１０は、IEEE 802.11g等の無線通信規格を用いて伝送路３を確立してもよい。
【００４７】
また、上述した説明では、第１の通信端末１が第２の通信端末２に対して、包括ファイルにまとめられた楽曲ファイルを送信する例を説明した。しかし、包括ファイルにまとめられるデータファイルは楽曲ファイルに限らず、相手の顔画像が含まれる画像ファイルとしてもよい。この場合、第１の記憶部１６ａのアドレス帳に記憶される相手側の情報は、第２の通信端末２を利用する相手側の顔情報である。そして、第１の通信端末１が第２の通信端末２に伝送するデータファイルには、例えば、ＪＰＥＧ（Joint Photographic Experts Group）やＥＸＩＦ（Exchangeable Image File Format）等のフォーマットで圧縮され、画像解析された画像ファイル（第１のデータファイル）が含まれる。また、画像ファイルには、静止画像だけでなく、動画像も含まれる。
【００４８】
そして、検索部１７は、相手の顔写真が含まれる画像ファイルを第２の記憶部１６ｂから検索する。第１の通信端末１は、機器間での画像ファイルを送受信するためのアプリケーションを用いる。このアプリケーションは、以下の検索及び送受信の機能を有する。
・検索機能：通信端末の電話／アドレス帳に属性情報を持たせ、この情報を基に画像解析された画像ファイルの検索を行う機能である。本例では、属性情報に通信相手の顔画像が含まれる。
・送受信機能：高速化した近距離機器間通信を採用し、画像ファイルをその通信方式に適した形に変換して送受信を行う機能である。
【００４９】
画像解析は、画像ファイル毎に写り込んでいる対象物等を識別する処理であり、第２の記憶部１６ｂに画像ファイルを記憶する際、制御部１３が行う。
第２の記憶部１６ｂは、撮像部２２で撮像された画像ファイル、或いはネットワークを介してダウンロードされた画像ファイルを保存している。そして、制御部１３は、画像ファイルに写り込んでいる被写体の顔画像部分を抽出する。具体的には、制御部１３は、集合写真のように複数の人物が写り込んでいる画像ファイルから各人の顔画像部分を抽出する。同様に、画像ファイルに一人のみ人物が写っている場合も、この人物の顔画像部分を抽出する。
【００５０】
第２の記憶部１６ｂには、不図示のリンク情報テーブルが設けられており、制御部１３は、このリンク情報テーブルに対して、以下の情報を登録する。
１．画像ファイルの識別番号、
２．画像ファイルから抽出した各顔画像の識別番号、
３．各顔画像と電話帳に登録されているユーザをリンク付けするためのリンク情報
【００５１】
制御部１３は、リンク情報として、そのユーザの個人情報が登録されている電話帳内の物理アドレスや、電話帳内で連番となっている、そのユーザの登録番号等を上記リンク情報テーブルに登録する。これにより、電話／アドレス帳に登録された送信相手の顔画像の識別番号と、画像ファイルの識別番号がリンク情報によりリンク付けされる。このため、電話／アドレス帳から選択した相手の顔画像が含まれる画像ファイルを第２の記憶部１６ｂから抽出することができる。
【００５２】
図７は、第１の通信端末１が画像ファイルを第２の通信端末２に送信する処理の例を示す。
【００５３】
＜電話／アドレス帳の属性情報に相手の顔画像が含まれる顔画像情報を登録＞
第１の通信端末１を操作するユーザは、第１の記憶部１６ａに記憶される電話／アドレス帳に、検索に必要な相手の顔画像が含まれる顔画像情報を予め登録しておく。
【００５４】
＜送信相手の選択〜画像ファイルの検索＞
始めに、ユーザは、表示部１４に表示された送信相手選択画面４５を見ながら、第１の通信端末１の電話／アドレス帳から送信相手を選択する（ステップＳ２１）。検索部１７は、予め登録された顔画像情報に該当する、画像解析された画像ファイルを第２の記憶部１６ｂから検索する（ステップＳ２２）。
【００５５】
次に、検索部１７は、該当する画像ファイルの有無を判断する（ステップＳ２３）。画像ファイルが無い場合、処理を終了する。一方、画像ファイルがある場合、検索された画像ファイルを圧縮して一つのファイルにまとめ、包括ファイルを作成する（ステップＳ２４）。
【００５６】
＜画像ファイルの送信＞
次に、ユーザは、第１の通信端末１を第２の通信端末２にかざす（ステップＳ２５）。このとき、近距離通信部２３は、第２の通信端末２との間で無線通信路３を確立できるか否か判断する（ステップＳ２６）。近距離通信部２３は、無線通信路３を確立できなければ送信処理を終了する。
【００５７】
一方、近距離通信部２３は、無線通信路３を確立すると、包括ファイルを、機器間通信を用いて送信する（ステップＳ２７）。近距離通信部２３が包括ファイルを送信完了後、送信が完了した事を示すメッセージを表示部１４に表示する。
【００５８】
これにより、第１の通信端末１を用いるユーザは、第１の通信端末１の電話／アドレス帳から画像ファイルの送信相手の選択を行う。この選択をトリガーとして、第１の通信端末１は登録した顔画像情報に合う画像解析された画像ファイルを検索し、包括ファイルを作成後、第２の通信端末２に包括ファイルを伝送できる。このため、ユーザは、第２の通信端末２を使用する相手に合わせて、自機の画像ファイルを個別に検索する必要が無くなるという効果がある。また、相手の顔画像情報に合わせて画像ファイルの検索を自動的に行えるため、画像ファイルの伝送時の作業が容易かつ素早くなるという効果がある。
【００５９】
また、上述した一実施の形態の機能を実現するソフトウェアのプログラムコードを記録した記録媒体を、システムあるいは装置に供給してもよい。また、そのシステムあるいは装置のコンピュータ（またはＣＰＵ等の制御装置）が記録媒体に格納されたプログラムコードを読み出し実行することによっても、機能が実現されることは言うまでもない。
【００６０】
この場合のプログラムコードを供給するための記録媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６１】
また、コンピュータが読み出したプログラムコードを実行することにより、上述した実施の形態の機能が実現される。加えて、そのプログラムコードの指示に基づき、コンピュータ上で稼動しているＯＳ（Operating System）などが実際の処理の一部又は全部を行う。その処理によって上述した実施の形態の機能が実現される場合も含まれる。
【００６２】
また、本発明は上述した実施の形態に限られるものではなく、本発明の要旨を逸脱することなくその他種々の構成を取り得ることは勿論である。
【符号の説明】
【００６３】
１…第１の通信端末、２…第２の通信端末、３…無線通信路、１０…伝送システム、１１…アンテナ、１２…無線電話用通信回路、１３…制御部、１４…表示部、１５…操作部、１６…記憶部、１６ａ…第１の記憶部、１６ｂ…第２の記憶部、１７…検索部、１７…包括部、１９…音声処理部、２０…スピーカ、２１…マイクロフォン、２２…撮像部、２３…近距離通信部、２４…近距離通信アンテナ、２５…近距離通信制御部、２６…制御ライン、２７…データライン、３１…制御部、３２…表示部、３３…操作部、３４…記憶部、３５…復元部、３６…音声処理部、３７…スピーカ、３８…近距離通信部、３９…近距離通信アンテナ、４０…近距離通信制御部、４１…制御ライン、４２…データライン
【図１】
2010212810.tif 000003
【図２】
2010212810.tif 000004
【図３】
2010212810.tif 000005
【図４】
2010212810.tif 000006
【図５】
2010212810.tif 000007
【図６】
2010212810.tif 000008
【図７】
2010212810.tif 000009